(57)【要約】【課題】  空スペースとなっている車両搭載用パレットに搭載する物置で種々の収納物を適正な環境で安定して保管できるようにしたエレベータ式駐車装置を提供すること。【解決手段】  入出庫階から入出庫する車両を搭載する複数の車両搭載用パレットを有し、この車両搭載用パレットを格納する複数段の棚を備え、前記車両搭載用パレットの一部を物置搭載用パレットＳＰとし、この物置搭載用パレットＳＰに搭載する物置２５に、この物置２５内の空気調節機６０を具備させ、この物置２５を搭載した物置搭載用パレットＳＰ側と、この物置搭載用パレットＳＰを格納する前記棚３０側との間に、前記空気調節機６０の受電コンセント６２と給電コンセント６３とを具備させる。【選択図】  図５
2010001654.tif 000002
【特許請求の範囲】
【請求項１】
入出庫階から入出庫する車両を搭載する複数の車両搭載用パレットを有し、該車両搭載用パレットを格納する複数段の棚を備えたエレベータ式駐車装置であって、
前記車両搭載用パレットの一部を物置搭載用パレットとし、
該物置搭載用パレットに搭載する物置に、該物置内の環境調整手段を具備させ、
該物置を搭載した物置搭載用パレット側と、該物置搭載用パレットを格納する前記棚側との間に、前記環境調整手段の給・受電手段を具備させたことを特徴とするエレベータ式駐車装置。
【請求項２】
前記複数段の棚の一部に荷捌き棚を備え、
該荷捌き棚に、前記物置搭載用パレットに搭載した物置内の収納物を駐車装置から外部に出し入れする荷捌き扉を具備させた請求項１に記載のエレベータ式駐車装置。
【請求項３】
前記荷捌き棚を、前記入出庫階に近い位置に具備させた請求項２に記載のエレベータ式駐車装置。
【請求項４】
前記荷捌き棚を、入・出庫要求パレットの仮置き場所として構成した請求項３に記載のエレベータ式駐車装置。
【請求項５】
前記物置の扉開検知手段と、前記荷捌き扉の開検知手段とを備え、
該検知手段のいずれかの検知情報に基づいて前記駐車装置への入出庫操作を不可とする制御装置を具備させた請求項２〜４のいずれか１項に記載のエレベータ式駐車装置。
【請求項６】
前記駐車装置の運転操作を行う運転盤を設け、該運転盤に、前記荷捌き扉の開閉状態を示す扉開閉表示部と、前記荷捌き棚のパレット番号表示部と、該荷捌き棚に呼ぶパレットの呼び番号表示部とを具備させた請求項２〜５のいずれか１項に記載のエレベータ式駐車装置。
【請求項７】
入出庫階から入出庫する車両を搭載する複数の車両搭載用パレットを有し、該車両搭載用パレットを格納する複数段の棚を備え、
前記車両搭載用パレットの一部を物置搭載用パレットとし、前記複数段の棚の一部を荷捌き扉を具備した荷捌き棚としたエレベータ式駐車装置の運転管理方法であって、
前記物置搭載用パレットに搭載した物置の荷捌き要求によって前記駐車装置への入出庫操作を不可とし、
該荷捌き要求した物置を搭載した物置搭載用パレットの荷捌き棚への配置によって前記荷捌き扉の開扉を可能とし、
該荷捌き扉の開扉によって前記物置の開扉を可能とするように制御することを特徴とするエレベータ式駐車装置の運転管理方法。
【発明の詳細な説明】
【技術分野】
【０００１】
本発明は、一部の駐車棚を物置として利用できるようにしたエレベータ式駐車装置とその運転管理方法に関する。
【背景技術】
【０００２】
集合住宅建物（マンション等）では、納戸や押入れに季節に対応した衣類（衣裳ケース）、布団、座布団、電気カーペット、家具、扇風機、ストーブ、ヒーター、コタツ、書籍、美術工芸品等、種々の家財が保管されているが、それらの保管量が収納しきれないほど多くなって居住スペースに溢れ出ることになると生活の快適さが損なわれる。
【０００３】
また、多数の企業・商店などが入っている商業集合ビルでは、会議イベント用備品、商品ストック、季節もの備品、ＯＡ機器・備品、普段使われず廃棄したくとも保管規定期間内で廃棄できない書類などが多く、これらが日常業務スペースを占めるようになると本来の企業活動に支障を来たすことがある。
【０００４】
ところで、これらの集合住宅建物や商業集合ビルなどには、これらに併設又は建物に組み込まれたエレベータ式駐車装置が設置されていることが多く、各戸・企業・商店が駐車スペース（駐車棚＋車両搭載用パレット）を契約利用して車両を駐車している。しかし、この種のエレベータ式駐車装置は必ずしも全ての駐車スペースが契約利用されているとは限らず、空スペースのまま放置されている場合もある。
【０００５】
そこで、このように空スペースとなっている駐車スペースを利用し、その駐車スペースにパレットに載せたトランクボックスを格納し、そのトランクボックス内に上記家財や備品、書類等を収納保管できるようにした多目的駐車装置が提案されている（例えば、特許文献１参照）。
【特許文献１】特開２００１−３２５５６号公報
【発明の開示】
【発明が解決しようとする課題】
【０００６】
しかしながら、上記特許文献１に記載されたトランクボックスは、内部構造について何ら開示されていないため、上記した利用者が収納保管を希望する、家具、衣類、電気・電子機器、美術工芸品等をこのトランクボックスの密閉空間内に収納した場合、それらの収納物に温度や湿度等の変化によって劣化・損傷等を生じるおそれが高い。
【０００７】
また、上記特許文献１では、入出庫部に隣接してトランクボックス内に物品を保管するピッキングルームを設けているが、このピッキングルームを設ける場所は一般的にこの種エレベータ式駐車装置のようなタワー式立体駐車装置では消火設備の一部として消火ボンベ室が設置される場所であるため、この位置にピッキングルームを設けると他の地上部敷地に消火ボンベ室を別途設けなければならず、有用な地上スペースを大きく占有して両方を別々に設置することになる。しかも、エレベータ上のトランクボックス搭載のパレットを入出庫部に隣接したピッキングルームに引き込むためには、入出庫部とピッキングルームとの間に複雑で高価なパレット搬送手段を設置しなければならない。
【０００８】
さらに、上記特許文献１では、入出庫部とピッキングルームとの間に設けられた開口に上記トランクボックス搭載のパレットの通過を許容する扉が設置されているが、この扉と入出庫口扉間、及びその他の入出庫作業とピッキング作業との間で安全運転作業を行うための具体的な方法の開示は無い。
【０００９】
そこで、本発明は、上記課題に鑑みて、空スペースとなっている車両搭載用パレットに搭載する物置で種々の収納物を適正な環境で安定して保管できるようにしたエレベータ式駐車装置及びその運転管理方法を提供することを目的とする。
【課題を解決するための手段】
【００１０】
上記目的を達成するために、本発明のエレベータ式駐車装置は、入出庫階から入出庫する車両を搭載する複数の車両搭載用パレットを有し、該車両搭載用パレットを格納する複数段の棚を備えたエレベータ式駐車装置であって、前記車両搭載用パレットの一部を物置搭載用パレットとし、該物置搭載用パレットに搭載する物置に、該物置内の環境調整手段を具備させ、該物置を搭載した物置搭載用パレット側と、該物置搭載用パレットを格納する前記棚側との間に、前記環境調整手段の給・受電手段を具備させたことを特徴とする。この明細書及び特許請求の範囲の書類中における「環境調整手段」は、エアコンディショナ等の空気調節機をいう。これにより、物置搭載用パレットに搭載した物置内の環境を空気調節機等の環境調整手段によって調整できるので、環境によって劣化や害虫の発生のおそれがある収納物を安定した環境で長期間収納することができる物置をエレベータ式駐車装置に備えさせることができる。
【００１１】
また、前記複数段の棚の一部に荷捌き棚を備え、該荷捌き棚に、前記物置搭載用パレットに搭載した物置内の収納物を駐車装置から外部に出し入れする荷捌き扉を具備させてもよい。このようにすれば、物置搭載用パレットを特定の荷捌き棚に配置した状態で荷捌き扉を開放し、駐車装置の特定の棚位置から外部に収納物を出し入れするようにできる。
【００１２】
さらに、前記荷捌き棚を、前記入出庫階に近い位置に具備させてもよい。このようにすれば、物置内の収納物の出し入れを入出庫階に近い階で安定して行うことができる。
【００１３】
また、前記荷捌き棚を、入・出庫要求パレットの仮置き場所として構成してもよい、このようにすれば、荷捌き作業が行われていない時には荷捌き棚を利用して入・出庫要求のパレットを入出庫階に近い階に仮置きすることができ、入出庫待ち時間の短縮等を図ることができる。
【００１４】
さらに、前記物置の扉開検知手段と、前記荷捌き扉の開検知手段とを備え、該検知手段のいずれかの検知情報に基づいて前記駐車装置への入出庫操作を不可とする制御装置を具備させてもよい。このようにすれば、物置の扉の開放検知と、荷捌き扉の開放検知とのいずれかに基いて、駐車装置への入出庫操作を不可とするので、物置に収納物を出し入れしている状態での駐車装置への入出庫操作を容易に停止させることができる。
【００１５】
また、前記駐車装置の運転操作を行う運転盤を設け、該運転盤に、前記荷捌き扉の開閉状態を示す扉開閉表示部と、前記荷捌き棚のパレット番号表示部と、該荷捌き棚に呼ぶパレットの呼び番号表示部とを具備させてもよい。このようにすれば、駐車装置の運転盤で、荷捌き棚に配置されるパレットの番号、及び荷捌き扉の開閉状態を確認することができる。
【００１６】
一方、本発明のエレベータ式駐車装置の運転管理方法は、入出庫階から入出庫する車両を搭載する複数の車両搭載用パレットを有し、該車両搭載用パレットを格納する複数段の棚を備え、前記車両搭載用パレットの一部を物置搭載用パレットとし、前記複数段の棚の一部を荷捌き扉を具備した荷捌き棚としたエレベータ式駐車装置の運転管理方法であって、前記物置搭載用パレットに搭載した物置の荷捌き要求によって前記駐車装置への入出庫操作を不可とし、該荷捌き要求した物置を搭載した物置搭載用パレットの荷捌き棚への配置によって前記荷捌き扉の開扉を可能とし、該荷捌き扉の開扉によって前記物置の開扉を可能とするように制御することを特徴とする。このようにすれば、物置の荷捌き要求によって駐車装置への入出庫操作を不可とすると共に、荷捌き棚への物置搭載用パレットの配置によって荷捌き扉の開放が可能となり、この荷捌き扉の開放によって物置の扉を開放して物置内の収納物を出し入れすることが可能となるように制御するので、荷捌き棚での荷捌き中に駐車装置への入出庫操作が開始されることを確実に防止することができる。
【発明の効果】
【００１７】
本発明は、以上説明したような手段により、エレベータ式駐車装置の駐車棚を物置搭載用パレットの棚として利用し、その物置搭載用パレットに搭載した物置で種々の収納物を適正な環境で安定して保管することが可能となる。
【発明を実施するための最良の形態】
【００１８】
以下、本発明の一実施の形態を図面に基づいて説明する。図１は、本発明の一実施の形態に係るエレベータ式駐車装置の鉄骨構造体及び外装板を外した状態を示す全体概略正面図であり、図２は、図１に示すII−II矢視拡大平面図、図３(a) は、図２に示すIII−III矢視側面図であり、(b) は(a) の他の例を示す側面図である。図４(a) 〜(d) は、図３に示す荷捌き扉を設ける変形例を示す模式図であり、図５は、図２に示すＶ−Ｖ矢視拡大断面図である。図２，５は荷捌き階を示しており、図３(a),(b) は荷捌き階の踊り場と階段とを示している。この明細書及び特許請求の範囲の書類中では、駐車装置の正面に向った状態で、右側、左側、入口側を前側、奥側を後側という。また、この実施の形態では、建物に独立して併設された地上階乗り入れのタワー式・ターンテーブル内蔵型（１８０°乗り入れ方式）のエレベータ式駐車装置１を例にしている。
【００１９】
図１，２に示すように、このエレベータ式駐車装置１は、鉄骨主柱２と梁３とが組まれた鉄骨構造体の外面に外装板４が設けられて駐車塔５が形成され、この駐車塔５の地上１階に入出庫階６が設けられている。この入出庫階６の前部に入出庫口７を有し、この入出庫口７には昇降開閉式の入出庫口扉８が設けられている。この入出庫口７の外部の右方側部に運転盤９が配設されている。このエレベータ式駐車装置１は、駐車塔５の中央部の鉛直方向に昇降路１０が形成され、この昇降路１０を挟んで左右両側の鉛直方向に設けられた棚柱１１に複数段の駐車棚１２が設けられている。
【００２０】
上記昇降路１０を昇降するエレベータ１５は、駐車塔５の上部に設けられた昇降駆動部１６によって昇降させられる。この昇降駆動部１６はエレベータ１５に接続されたワイヤロープ１７を駆動シーブ１８で昇降させるものである。ワイヤロープ１７の反エレベータ側にはカウンタウエイト１９が設けられている。また、エレベータ１５には、パレットＰをジャッキ２４で持上げて旋回させる持上げ旋回機構、及びパレットＰの左右位置下面に設けられた被係合溝材２１に係合してパレットＰを上記駐車棚１２との間で移動させるアーム材２２を有するパレット持上げ旋回・移載手段２０が備えられている。このパレット持上げ旋回・移載手段２０により、エレベータ１５のレール２３から、駐車棚１２の前後に離間して平行に延設された２本１対の棚レール１３にパレットＰの車輪１４を移載するようになっている。
【００２１】
図１に示すように、このエレベータ式駐車装置１は、昇降路１０を挟んだ２階〜１８階の左右両側に計３４個の駐車棚１２を有している。この例では、上記パレットＰが、低車高車ＬＭ用のパレットＬＰ（以下、「低パレットＬＰ」という）と高車高車ＨＭ用のパレットＨＰ（以下、「高パレットＨＰ」という）とが混載される構成となっており、５階〜１４階の計２０個の駐車棚１２は低パレットＬＰを格納できる程度に高さ間隔が狭い低車高車用棚Ａに設定され、２階〜４階及び１５階〜１８階の計１４個の駐車棚１２は高パレットＨＰが格納可能なように高さ間隔が広い高車高車用棚Ｂに設定されている。
【００２２】
そして、このエレベータ式駐車装置１において、未契約利用で空スペースとなっている４台（右列１６階〜１８階、及び左列１６階）の高パレットＨＰの有効利用を図るべく、これらの各高パレットＨＰに物置２５が設置され、これらの高パレットＨＰが物置パレットＳＰとなっている。これら物置パレットＳＰが格納される棚を、格納棚２８ともいう。なお、この実施の形態では、４台を物置パレットＳＰとしているが、物置パレットＳＰは１台でも５台以上でもよく、駐車装置１の稼動状態等に応じて決定すればよい。
【００２３】
また、この実施の形態では、右列２階が荷捌き階Ｃとなっており、この荷捌き階Ｃの上記駐車棚が物置パレットＳＰを格納する荷捌き棚３０となっている。これにより、低パレットＬＰは上記低車高用棚Ａの数と同数の２０台で、高パレットＨＰは上記高車高用棚Ｂの数より１個少ない１３台とし、上記荷捌き棚３０は常時空スペースとなるようにしている。そして、図２に示すように、この荷捌き棚３０の右方側部の駐車塔５には、人が立って出入りできる荷捌き口３１が開口している。
【００２４】
図３(a) に示すように、上記荷捌き口３１の外側には、両開き式の荷捌き扉３２が設けられている。この荷捌き扉３２は、窓３３が設けられた扉体３４が左右の戸袋３５の枠体内で開くようになっている。この荷捌き扉３２の側部には、電動の荷捌き扉３２を開閉する開閉操作盤３６が設けられている。この開閉操作盤３６には、「開」釦、「閉」釦、及び「ロック」釦が設けられている。この実施の形態では、荷捌き扉３２を電動としているので、この開閉操作盤３６の「開」釦による扉開放によって荷捌き扉３２が開放されたことが検知される。
【００２５】
また、荷捌き扉３２の枠体上部中央には、荷捌き扉３２の開閉が可能か否かの案内が示される案内表示部３７が設けられている。この案内表示部３７の上部には、庇３８が設けられている。さらに、上記荷捌き口３１及び荷捌き扉３２の下部に対応して柵４４付きの踊り場４０が設けられ、地上とこの踊り場４０の踊り場床４１との間には、手摺り４２を有する階段４３が備えられている。踊り場床４１は支柱４５によって支持されている。
【００２６】
この実施の形態では、荷捌き扉３２を電動式としているが、利用者に貸与する専用のキーによって開閉させる手動開閉式としてもよい。この場合、荷捌き扉３２のキー穴にキーを差し込んで回すことにより荷捌き扉３２の開閉が可能となり、荷捌き扉３２が完全に閉じていないとキーが抜けないような電子ロックキーとすれば、荷捌き扉３２を開放状態で放置してしまうことを防止することができる。
【００２７】
なお、上記エレベータ式駐車装置１等のタワー式立体駐車装置では、駐車塔５の周辺部に消火ボンベ室を設置しなければならない。そこで、図３(b) に示すように、踊り場４０の下方空間に消火ボンベ室４６を設置すれば駐車塔５の周辺敷地の空スペースの有効利用を図ることができる。この場合、消火ボンベ室４６の屋根４７に直接又は載置台等を介し踊り場４０を設置する形態とすれば、踊り場床４１の支柱が不要となるうえ、消火ボンベ室４６の設置レイアウトが容易に行える。
【００２８】
また、この実施の形態では、荷捌き棚３０の位置の駐車装置外部に踊り場４０を設け、この踊り場４０に上がる階段４３を設けた例を示しているので、上記荷捌き棚３０の物置２５に収納する収納物を踊り場４０と地上との間で昇降させる昇降機を設けるのが好ましい。
【００２９】
図４(a) 〜(d) に示すように、昇降機としては、図４(a) に示すような階段昇降機５１を階段４３の手摺り４２に設けて踊り場４０と地上との間で収納物Ｅを昇降させるようにしてもよい。また、(b) に示すように、踊り場４０の側部に簡易のホームエレベータ５２を設置すれば、収納物の運搬がより容易に行える。一方、上記実施の形態のエレベータ式駐車装置１は、地上に駐車塔５を独立して設けるタワー式であるが、例えば、図４(c) に示すように、建物組込型のエレベータ式駐車装置の場合で、地下部に入出庫口５３を有し、外部道路から傾斜誘導路（ランプ）を経てこの入出庫口５３に至るレイアウトであれば、地上階が荷捌き階Ｃとなり、踊り場床４１及び階段４３は不要である。また、図４(d) に示すように、通常の５階以上の建物であれば、建物側に乗用エレベータ５４やエスカレータが設置されているので、何れかの建物の階床に整合する棚階を荷捌き階Ｃに設定し、建物と荷捌き階Ｃとの間に連絡通路５５を設けるようにしてもよい。
【００３０】
図２，５に示すように、上記物置２５は、概ね物置パレットＳＰの横幅及び縦長さと、格納される■車高車の制限高さ（約２ｍで、大人１人が立ったまま物置内に入ることがで
きる高さ空間を有する）に匹敵する寸法で形成され、長手方向に延びた右側面に扉２７が備えられたほぼ密閉の箱体である。この扉２７には、鍵付きの取手２９が設けられている。物置２５は、物置パレットＳＰの左・右車路凹所に設置された載置台５６を介して載置されており、中央底部が物置パレットＳＰの中央隆起部５７にボルト５８で固定されている。このように物置パレットＳＰに載置して固定された物置２５は、物置パレットＳＰ上で左右・前後・上部に食み出しのないように設けられている。この物置２５としては、最大限の空間容量をもたせるべく製作してもよいが、物置パレットＳＰの大きさにほぼ合う市販の大型のプレハブ物置やコンテナ、収納庫等を載置してもよい。この物置２５としては、この実施の形態のように１台の物置パレットＳＰに大型１個の物置２５を配置してもよいが、２台以上の中・小型物置を並設するようにしてもよい。
【００３１】
また、上記荷捌き棚３０と荷捌き口３１との間には、荷捌きデッキ３９が設けられており、この荷捌きデッキ３９の床面と上記踊り場４０の床面、上記物置パレットＳＰの側縁上面、及び物置２５の内部床面２６とが、上記物置２５が荷捌き棚３０に設置されたときにほぼ面一に整合するような配置関係となっている。
【００３２】
さらに、上記各物置２５の内部には、環境調整手段たる空気調節機６０（エアコンディショナ；以下、単に「空調機」ともいう）が備えられている。この空調機６０は、設置スペースや配管等の構成等から、好ましくは、室内機・室外機一体のユニット型が良い。また、この例では、物置２５の内部に、温度・湿度・稼動時問などを利用者自身で設定操作できる操作ユニット６１（固定式又はリモコン式）が備えられている。なお、この実施の形態では、物置２５内に設置する空調機６０を天井埋込み式（室内機、室外機一体ユニット）としたが、側壁埋め込み式や、室外機を物置外（パレットの端部上）に設置するような型式でもよい。
【００３３】
また、上記空調機６０の給電ケーブルは、物置２５の外部に導出されて、先端の受電コンセント６２がパレット右側部奥側下部で右方水平に向けて固設されている。この受電コンセント６２は、左列格納の物置パレットＳＰでは、この受電コンセント６２に加えて左側部奥側下部で左方水平に向けても受電コンセント６２が設けられる。
【００３４】
そして、エレベータ１５に搭載されて搬送されてきた物置パレットＳＰがパレット持上げ旋回・移載手段２０の作動により荷捌き棚３０または各物置パレットＳＰの格納棚２８に移載された際、移載動作の最終段階で物置パレットＳＰの上記受電コンセント６２が対応する各給電コンセント６３に自動的に接続されるようになっている。この受電コンセント６２と給電コンセント６３とが、給・受電手段である。この例ではこれら受電コンセント６２と給電コンセント６３とが凹凸嵌合するように構成された物理的接触接続式を採用しているが、これら受電コンセント６２と給電コンセント６３としては、電磁誘導式の近接非接触接続式等のコンセントも使用可能である。
【００３５】
この実施の形態では、空調機６０の受電コンセント６２を物置２５の外部に導出して物置パレットＳＰの下部に固設しているが、物置２５の外面に露出して固定するだけでもよい。この場合、物置２５に固設された受電コンセント６２と対応するように棚側に給電コンセント６３が設けられる。しかも、このように物置２５に受電コンセント６２を設けた場合、駐車装置１の利用契約の変動に応じて行う高パレットＨＰ又は低パレットＬＰの改造が容易に行える。
【００３６】
また、図１に示すように、上記荷捌き棚３０と右列の物置パレットＳＰの格納棚２８（この例では、１６階〜１８階）の右方奥部、及び左列１６階の物置パレットＳＰの格納棚２８の左方奥部に、給電コンセント６３がそれぞれ左方及び右方水平に向けて固設されている。これらの給電コンセント６３は、駐車装置１の電源装置（図示略）に接続されている。
【００３７】
さらに、上記物置２５内には、電池式手押しライト６５が設けられている。この照明としては、一般的な蛍光灯でもよい。蛍光灯の場合、荷捌き棚３０に移載されたときの給・受電コンセント６２，６３の接続で自動的に点灯し、各格納棚２８では消灯のままとするように制御すればよい。
【００３８】
一方、図５に一例を示すように、上記物置２５内への収納物Ｅとしては、例えば、個人の場合には、季節ものの衣類（衣裳ケース）、布団、座布団、電気カーペット、家具、扇風機、ストーブ、ヒーター、コタツ、書籍、タイヤ、ゴルフバッグ、スキー用品、テント、アウトドア用品、美術工芸品、雛人形、スーツケース、自転車・一輪車、灯油・飲料タンク、玩具、ＯＡ機器・備品等がある。また、企業、小売店、料理店、引越し業者などの場合には、カタログ、書類、会議室備品（例えば、机、椅子）、商品ストック、季節もの料理器・備品、ＯＡ機器・備品、引越し荷物の一時預り物等がある。これらが仕切り棚６６等によって効率的に収納されている。
【００３９】
そして、上記衣類や布団、座布団等を収納する場合には、上記空調機６０による環境の調整に加えて、利用者によって、適宜、防カビ剤、防虫剤、及び調湿剤（木炭など）などを配設したり、物置内の効率的な収納手段（仕切り棚）の配置、収納物の移動・転倒防止の手段等が講じられる。
【００４０】
図６は、図１に示すエレベータ式駐車装置の制御ブロック図である。上記エレベータ式駐車装置１の制御ブロックとしては、ＣＰＵ等を備えた制御装置７０と、エレベータの昇降駆動部、パレットの移載兼持上旋回駆動部等を備えたエレベータ駆動部７１と、物置の扉の開閉検知手段、荷捌き扉内の人・物検知手段、昇降路の車両検知手段等を備えた検知部７２と、荷捌き扉の開閉駆動部（上記開閉操作盤３６）、入出庫口扉の開閉駆動部を備えた扉の開閉部７３と、上記エレベータ式駐車装置１の運転操作を行う運転盤９とが、Ｉ／Ｏ装置７４（入出力装置）を介して接続されている。このＩ／Ｏ装置７４により、各部の間で信号の送受信が行われている。
【００４１】
上記運転盤９には、上部に案内表示部７６が設けられ、その下部には、「スタート」釦７７と、「安全確認」釦７８、「終了扉閉」釦７９、「取消」釦８０、「暗証」釦８１、「扉開」釦８２、及びテンキー８３が設けられている。このテンキー８３は、入出庫を行うパレット番号の入力や荷捌きを行うパレット番号の入力、暗証番号の入力等に使用される。
【００４２】
そして、その側部には、入出庫の時に表示される「入口番号」表示部８４、及び「呼び番号」表示部８５と、物置パレットの荷捌きを行う時に表示される「荷捌棚番号」表示部８６と、荷捌き棚３０に呼ぶ物置パレットＳＰの「呼び番号」表示部８７、及び荷捌き扉３２の開閉状態を示す開閉表示部８８とが設けられている。なお、最下部には、制御電源キーと運転モードキー及び運転管理キーの操作部８９が設けられると共に、「非常停止」釦９０が設けられている。
【００４３】
このように、この運転盤９には、一般的なスイッチ・ランプ類に加え、物置パレットＳＰの荷捌きに関連して、「荷捌棚番号」表示部８６と「呼び番号」表示部８７、及び荷捌き扉の開閉表示部８８が備えられている。この開閉表示部８８はランプであり、閉扉状態では消灯、開閉動作中は点滅、開扉状態では点灯するようになっており、開閉表示部８８のランプ点灯状態で荷捌き扉３２の状態を運転盤９で確認することができるようになっている。
【００４４】
図７は、人・物検知手段の配置図であり、(a) は入出庫階の平面図、(b) は荷捌き階の側面図である。この人・物検知手段としては、光電センサ等が用いられる。図７(a) に示すように、入出庫階６には、入出庫口７において人・物を検知するセンサＰＨ１が設けられると共に、エレベータ１５に搭載したパレットＰの正規位置に車両Ｍが停車しているかと、人・物を検知するセンサＰＨ２〜ＰＨ４が設けられている。また、図７(b) に示すように、荷捌き階Ｃには、荷捌き扉３２の外部で人・物を検知するセンサＰＨ５と、荷捌き扉３２の内部と物置２５との間で人・物を検知するセンサＰＨ６と、物置扉２７が開放していることを検知するセンサＰＨ７とが設けられている。なお、荷捌きデッキ３９に上面にマットスイッチを敷いて人・物を検知するようにしてもよい。
【００４５】
図８(a) 〜(e) は、物置扉が開放していることを検知するセンサの作用を示す模式図である。上記実施の形態のように物置２５の扉２７を引き戸とした場合、この引き戸の開閉検知としてセンサＰＨ７に投・受光式光電検知器が使用される。この投・受光式光電検知器ＰＨ７の場合、扉２７の上部外面に反射シール６７を貼付すれば、図８(a) に示すように閉鎖した状態では反射受光量が最大であるが、(b) に示すように半開きの状態では反射受光量が半減し、(c) に示すように全開の状態では反射受光量が無いか極めて少なくなるので、投・受光式光電検知器ＰＨ７からの投光の反射受光量の増減を明瞭にして検知機能を向上させることができる。
【００４６】
また、図８(d) に示すように、物置２５の扉２７を開き戸としてもよく、この場合には、閉状態の扉２７の外面より僅かに離れた適宜高さ位置に、この扉２７の外面と平行に光電検知器ＰＨ７の光線を通しておけば、(e) に示すように、扉２７が少しでも開いていると遮光して扉２７の開を検知することができる。
【００４７】
このように、このエレベータ式駐車装置１では、車両の入出庫階６における一般的な人・物検知手段に加え、荷捌き階Ｃにおいても各所に人・物検知手段を配設することにより、駐車装置全体を統合して管理する制御装置（図示略）がこれらの検知情報に基いてインターロック制御するようになっている。即ち、車両の入出庫作業と荷捌き作業のいずれかが作業開始したときには、他方の作業を阻止するように制御している。
【００４８】
上記図６に示す運転盤９による荷捌き動作の手順としては、荷捌き希望の利用者（又は管理人）が、入出庫口７の運転盤９により、「暗証」釦８１を押し、テンキー８３で暗証番号を入力し、「スタート」釦７７を押す。これにより、物置パレットＳＰの荷捌き棚３０への呼び番号表示部８７に自契約の物置パレットＳＰの番号が表示される。また、エレベータ１５が稼動し、要求した物置パレットＳＰが格納棚２８（図１に示す右列最上棚）からエレベータ１５上に移載され、エレベータ１５が下降して荷捌き階Ｃに停止して、移載機構の作動により物置パレットＳＰが荷捌き棚３０に移載される。これにより、運転盤９の荷捌き欄の「荷捌棚番号」８６に上記物置パレットＳＰの番号が表示される。この移載終了段階で物置パレットＳＰの奥下部の受電コンセント６２が荷捌き棚３０に固設された給電コンセント６３と自動的に接続される。
【００４９】
その後、利用者は階段４３を昇り、踊り場床４１に立つ。荷捌き扉３２上部の案内表示部３７には、要求した物置パレットＳＰが荷捌き棚３０に着床すると、荷捌き扉３２を開けてもよい旨、が案内表示される。
【００５０】
利用者は開閉操作盤３６にて「開」釦を押し、荷捌き扉３２が開いたのを確認して、この荷捌き扉３２が誤って閉じないように「ロック」釦を押した上（ロック釦点灯）で、荷捌き口３１より荷捌きデッキ３９に立ち、自身の携帯する物置２５の鍵で扉２７を開ける。このとき、制御手段は、「荷捌き扉の開検知」、「荷捌き扉のロック検知」、「荷捌き扉の内・外検知手段による人・物検知」、「物置の扉の開検知」などの複数の検知情報のいずれか１つの検知情報をもって、車両側の入出庫操作を不許可とするようなインターロック制御をしている。
【００５１】
その後、利用者は、物置２５内に入って、ライト６５を点灯し、種々の家財・収納物Ｅの出し入れを行う。また、保管する収納物Ｅの種類に応じて物置２５内の環境を所望の環境に調整するべく、空調機６０の操作ユニット６１で温度・湿度・風量・稼動時間、ＯＮ／ＯＦＦなど種々の設定を行う。このとき物置パレットＳＰの受電コンセント６２は給電コンセント６３に接続されているので、操作ユニット６１で設定した空調機６０の作動状況を実際に確認することができる。空調機６０による温度・湿度等の調節が必要ない場合は、ＯＦＦにしておけば格納時も空調機６０が作動しないようにできる。また、利用者は、必要に応じて、防カビ剤、防虫剤、調湿剤（木炭等）などを配設したり、物置内を効率的に収納するための手段（仕切り棚  ６６）を設けたり、収納物の移動・転倒防止の手段を講じる。
【００５２】
また、利用者は、上記荷捌き作業や環境設定などの用が済むと、ライト６５を消し、物置２５の扉２７を閉め、鍵を掛け、踊り場４０に出る。そして、荷捌き扉３２の開閉操作盤３６にて「ロック」を外し（ロック釦消灯）、「閉」釦を押すことで荷捌き扉３２が閉じられる。これにより、上記全ての検知情報に伴うインターロック制御が解除され、入出庫口７の運転盤９による車両の入出庫操作が可能となる。これらの作業は利用者の責任によって行われる。これは、一般的な駐車装置において、パレットに搭載した車両の車内収納物及び車ドアの閉ロックについては車両所有者自身が保管責任をもっているのと同様に、物置パレットの物置内の収納物Ｅ及び物置扉２７の閉ロックについては利用者自身の保管責任によって行われる。
【００５３】
そして、次の入・出庫要求が無ければ、荷捌き棚３０の上記用済みの物置パレットＳＰはエレベータ１５に移載され、元の格納棚２８に戻される。この元の格納棚２８に移載される物置パレットＳＰは、最終段階で物置パレットＳＰ側の受電コンセント６２が格納棚２８の給電コンセント６３に自動的に接続され、物置２５内の空調機６０は利用者が設定したとおりに運転される。
【００５４】
なお、上記物置２５には、大小・形体・重量・材質など、種々雑多な収納物が収納され、利用者自身の保管責任の下、移動・転倒防止手段を図られているものの、さらにこのような移動・転倒を極力回避するために、エレベータ１５の昇降・パレット移載の加減速及び定常速度を、高パレットＨＰ及び低パレットＬＰの場合よりも適宜軽減するようにしてもよい。
【００５５】
図９は、物置パレットに搭載された物置から荷捌きする場合のフローチャートを示している。このフローチャートに基いて、上記エレベータ式駐車装置１による一連の荷捌き流れを説明する。上記エレベータ式駐車装置１において、物置パレットＳＰに搭載された物置２５から荷捌きする場合、スタートすると、荷捌き要求かが判断され(a) 、荷捌き要求の場合には、入・出庫呼び操作不可指令が出されて入出庫が同時に行われないようにインターロック制御されると共に(b) 、呼び物置パレットの荷捌き棚への呼び出しが行われる(c) 。そして、物置パレットＳＰが荷捌き棚に着床したかが検知され(d) 、着床したことが検知されると荷捌き扉３２の開操作許可指令及び案内表示が出される(e) 。その後、荷捌き扉３２の開扉が検知され(f) 、荷捌き扉３２が開放していると検知された場合には、物置２５の扉２７が開放しているかが検知される(g) 。物置２５の扉２７が開放していることが検知された場合、荷捌き作業中と判断され、荷捌き扉３２の閉操作不可指令及び案内表示が出される(h) 。この状態で、物置２５内の収納物Ｅが出し入れされる。
【００５６】
その後、物置２５の扉２７が閉扉したかが検知され(i) 、物置２５の扉２７が閉扉していることが検知された場合には、荷捌き扉３２の閉操作許可指令及び案内表示がなされる(j) 。そして、荷捌き扉３２の閉扉が検知され(k) 、荷捌き扉３２が閉扉であると検知された場合には、物置パレットの元格納棚への復帰移動指令が出され(l) 、物置パレットの復帰完了をしたかが検知される(m) 。物置パレットＳＰの復帰完了が検知されると、入出庫呼び操作の許可指令が出され(n) 、上記インターロック制御が解除されて入出庫操作が可能となってエンドとなる。
【００５７】
以上のように、上記エレベータ式駐車装置１によれば、空スペースとなっている車両搭載用パレットＰを物置２５を固定設置した物置パレットＳＰとし、この物置２５内に集合住宅建物（マンション）の個人宅や商業ビルの企業・商店で保管しきれない種々の物を収納することができるので、居住スペース及び事業活動スペースの快適性を復活することができる。
【００５８】
また、入出庫階６と荷捌き階Ｃとを異ならせ、種々各所に配設した複数の人・物検知手段の検知情報に基づくインターロック制御により、入出庫作業と荷捌き作業が重ならないようにしたのでそれぞれの作業を安全に行うことができる。
【００５９】
さらに、物置パレットＳＰの物置２５には、空調機６０（環境調整手段）を備えさせ、物置パレットＳＰが各格納棚２８及び荷捌き棚３０に配置された際に自動的に給・受電コンセント６２，６３が接続されるようにしているので、利用者の所望どおりに空調機６０を稼動させて、収納物の結露・劣化・虫食い等を効果的に防止でき、長期間安定して収納物を保管することができる。
【００６０】
また、上記実施の形態では、荷捌き棚３０を入出庫階６に近い階（地上２階）に設けているので、荷捌き作業の滞った時期・時間帯には、この荷捌き棚３０を後続入・出庫要求のパレットＰを予め入出庫口７に近い場所に仮置きするためのパレット仮置き場所として利用することができ、入出庫待ち時間の短縮を図ることにも利用できる。
【００６１】
さらに、物置パレットＳＰは、車両用パレットＰ上に物置２５を単に載置固定したものであるので、駐車装置１の利用契約の状況によって、随時、車両用パレットＰと物置パレットＳＰとの比率を増減させる改造が比較的簡単に行えるので、これらの増減を調節することによって駐車装置１全体の利用率向上を図ることができる。
【００６２】
なお、上記実施の形態では、物置２５を密閉型として空調機６０を物置内空気循環式としているが、必要に応じて物置の側壁に適宜大きさの空気穴を設けるようにしてもよい。但し、上記駐車塔５自体の上方壁部に設けられた換気窓４８（ガラリ；図１）によってエレベータ１５の昇降やパレットＰの横移動で内部空気が掻き回され澱むことは少ないものの、棚レール１３やワイヤロープ１７には潤滑オイルが塗布されているので、若干の油臭は避けられないので、上記空気穴は必要最小限に留めるのがよい。
【００６３】
また、上記実施の形態では、高パレットＨＰに物置２５を搭載して物置パレットＳＰとしているため、人が物置２５に入って楽な作業姿勢で収納物の出し入れ作業を行うことができるが、高さの低い収納物を収納する場合には、低パレットＬＰに高さの低い物置を設置して物置パレットとしてもよい。
【００６４】
さらに、上述した実施の形態は一例を示しており、本発明の要旨を損なわない範囲での種々の変更は可能であり、本発明は上述した実施の形態に限定されるものではない。
【産業上の利用可能性】
【００６５】
本発明に係るエレベータ式駐車装置は、駐車棚の空スペースを利用して物置を搭載したパレットを格納し、その物置に書籍、書類、自転車、ＯＡ機器、及びその他の収納物を適した環境で保管したい場合に利用できる。
【図面の簡単な説明】
【００６６】
【図１】本発明の一実施の形態に係るエレベータ式駐車装置の鉄骨構造体及び外装板を外した状態を示す全体概略正面図である。
【図２】図１に示すII−II矢視拡大平面図である。
【図３】(a) は図２に示すIII−III矢視側面図であり、(b) は(a) の他の例を示す側面図である。
【図４】(a) 〜(d) は、図３に示す荷捌き扉を設ける変形例を示す模式図である。
【図５】図２に示すＶ−Ｖ矢視拡大断面図である。
【図６】図１に示すエレベータ式駐車装置の制御ブロック図である。
【図７】人・物検知手段の配置図であり、(a) は入出庫階の平面図、(b) は荷捌き階の側面図である。
【図８】(a) 〜(e) は、物置扉が開放していることを検知するセンサの作用を示す模式図である。
【図９】物置パレットに搭載された物置から荷捌きする場合のフローチャートを示している。
【符号の説明】
【００６７】
１…エレベータ式駐車装置
５…駐車塔
６…入出庫階
７…入出庫口
８…入出庫口扉
９…運転盤
１２…駐車棚
１３…棚レール
１５…エレベータ
２０…パレット持上げ旋回・移載手段
２５…物置
２６…内部床面
２７…物置扉
２８…格納棚
３０…荷捌き棚
３１…荷捌き口
３２…荷捌き扉
３５…戸袋
３６…開閉操作盤
３７…案内表示部
３９…荷捌きデッキ
４０…踊り場
４１…踊り場床
６０…空気調節機（環境調整手段）
６１…操作ユニット
６２…受電コンセント
６３…給電コンセント
６５…電池式手押しライト
６６…仕切り棚
７０…制御装置
８６…「荷捌棚番号」表示部
８７…「呼び番号」表示部
８８…開閉表示部
Ｃ…荷捌き階
Ｅ…収納物
ＨＰ…高車高車用パレット
ＬＰ…低車高車用パレット
ＳＰ…物置パレット
【図１】
2010001654.tif 000003
【図２】
2010001654.tif 000004
【図３】
2010001654.tif 000005
【図４】
2010001654.tif 000006
【図５】
2010001654.tif 000007
【図６】
2010001654.tif 000008
【図７】
2010001654.tif 000009
【図８】
2010001654.tif 000010
【図９】
2010001654.tif 000011